(57)【要約】【課題】セル同期および同期セルインジケーションの提供。【解決手段】提供されるのは、ワイヤレス通信システムにおいて使用される同期セルである。また、提供されるのは、ＳＣＩ（同期セルインジケータ）である。モバイルネットワークは、ユーザ機器（ＵＥ）のための１つまたはそれを上回る好適な同期セルを識別し、ＵＥが、少なくとも部分的に同期セルと同期し得るように、ＳＣＩをＵＥに送信する、プロセッサを含む。ＳＣＩは、種々の実施形態では、有利には、セル−ｉｄと他の同期パラメータおよび特性とを含む。ＳＣＩは、ＵＥが標的セルと実施するためのセル指向ＵＥアクションを含んでもよい。ＵＥは、同期セルと同期が得られた後、または同期プロセスを継続するためにのいずれかにおいて、標的セルとセル指向ＵＥアクションを実施する。【選択図】図１
2019161673.tif 000002
【特許請求の範囲】
【請求項１】
モバイルネットワークによって実行されるセル同期のための方法であって、前記方法は、
同期セルインジケータ（ＳＣＩ）をユーザ機器（ＵＥ）に送信することであって、前記ＳＣＩは、前記ＵＥがアクションを実施する際に同期されることが可能な同期セルを識別する、ことと、
前記ＵＥから報告を受信することであって、前記報告は、前記ＳＣＩに基づいて標的セルに指向されたセル指向アクションを参照し、前記標的セルは、前記ＵＥが前記ＳＣＩに基づいて少なくとも部分的に同期される同期セルとは異なる、ことと
を含む、方法。
【請求項２】
モバイルネットワークによって実行されるセル同期のための方法であって、前記方法は、
同期セルインジケータ（ＳＣＩ）をユーザ機器（ＵＥ）に送信することであって、前記ＳＣＩは、前記ＵＥがアクションを実施する際に同期されることが可能な同期セルを前記ＵＥが識別することを可能にする、ことと、
前記ＵＥから報告を受信することであって、前記報告は、前記ＳＣＩに基づいて標的セルに指向されたセル指向アクションを参照し、前記標的セルは、前記ＵＥが前記ＳＣＩに基づいて少なくとも部分的に同期される同期セルとは異なる、ことと
を含む、方法。
【請求項３】
前記セル指向アクションは、少なくとも部分的に同期している間に前記同期セルから得られた同期に基づく、請求項１または請求項２に記載の方法。
【請求項４】
前記セル指向アクションは、前記標的セルからの信号に対する測定を含む、請求項１または請求項２に記載の方法。
【請求項５】
前記ＳＣＩは、前記セル指向アクションを示す、請求項１または請求項２に記載の方法。
【請求項６】
前記ＳＣＩは、セル−ｉｄを含むことによって、前記同期セルを識別する、請求項１または請求項２に記載の方法。
【請求項７】
前記同期セルに少なくとも部分的に同期されることは、前記同期セルからの信号を使用して、前記標的セルと少なくとも部分的な同期を得ることを含む、請求項１または請求項２に記載の方法。
【請求項８】
前記ＳＣＩは、キャリアを示す、請求項１または請求項２に記載の方法。
【請求項９】
前記同期セルは、前記ＳＣＩによって示される前記キャリアの任意のセルを含む、請求項８に記載の方法。
【請求項１０】
前記同期セルは、前記標的セルと同一の同期特性およびパラメータを含む、請求項１または請求項２に記載の方法。
【請求項１１】
前記ＳＣＩは、前記モバイルネットワークのＵＥ測定構成内に含まれ、前記ＵＥ測定構成は、周波数内測定、周波数間測定、ＲＡＴ（無線アクセス技術）間測定のうちの少なくとも１つに関連する測定パラメータを含む、請求項１または請求項２に記載の方法。
【請求項１２】
前記セル指向アクションは、前記標的セルからの少なくとも信号に対する測定を実施することを含み、前記報告を伝送することをさらに含み、前記報告は、前記同期セルのセル−ｉｄを含む、請求項１または請求項２に記載の方法。
【請求項１３】
前記ＳＣＩは、時間的検索窓を含み、前記時間的検索窓内で前記同期セルから同期信号が検出される、請求項１または請求項２に記載の方法。
【請求項１４】
モバイルネットワークであって、
前記モバイルネットワークは、送信機と受信機とを備え、
前記送信機は、同期セルインジケータ（ＳＣＩ）を送信するように構成されており、前記ＳＣＩは、通信機器がアクションを実施する際に同期されることが可能な同期セルを識別し、
前記受信機は、前記ＵＥから報告を受信するように構成されており、前記報告は、前記ＳＣＩに基づいて標的セルに指向されたセル指向アクションを参照し、前記標的セルは、前記ＵＥが前記ＳＣＩに基づいて少なくとも部分的に同期される同期セルとは異なる、モバイルネットワーク。
【請求項１５】
前記セル指向アクションは、少なくとも部分的に同期している間に前記同期セルから得られた同期を使用することを含む、請求項１４に記載のモバイルネットワーク。
【請求項１６】
前記セル指向アクションは、前記標的セルからの信号に対する測定を含む、請求項１４に記載のモバイルネットワーク。
【請求項１７】
前記同期セルに少なくとも部分的に同期されることは、前記同期セルからの信号を使用して、前記標的セルと少なくとも部分的な同期を得ることを含む、請求項１４に記載のモバイルネットワーク。
【請求項１８】
前記ＳＣＩは、キャリアを示す、請求項１４に記載のモバイルネットワーク。
【請求項１９】
前記同期セルは、前記ＳＣＩによって示される前記キャリアの任意のセルを含む、請求項１８に記載のモバイルネットワーク。
【請求項２０】
前記同期セルは、前記標的セルと同一の同期特性およびパラメータを含む、請求項１４に記載のモバイルネットワーク。
【請求項２１】
前記ＳＣＩは、時間的検索窓において前記同期セルから同期信号を検出するために、前記時間的検索窓を含む、請求項１４に記載のモバイルネットワーク。
【発明の詳細な説明】
【技術分野】
【０００１】
（関連出願）
本願は、２０１３年７月２２日に出願された、米国仮出願第６１／８５７，１１０号に対する優先権を主張するものであり、さらに、２０１４年４月２３日に出願された、米国仮出願第６１／９８３，２９６号に対する優先権を主張するものである。これらの出願のそれぞれの内容は、それらの全体があたかも開示されているかのように、参照により本明細書中に援用される。
【背景技術】
【０００２】
ワイヤレス通信システムは、今日の世界に普及しており、日々の通信のために、事実上全ての人によって依拠されている。ワイヤレス通信システムは、典型的には、セルと呼ばれる地上エリアにわたって配信されるワイヤレス通信ネットワークである、セルラーネットワークまたはモバイルネットワークの形態にある。各セルは、概して、セルのセルサイトまたは基地局（「ＢＳ」）として知られる、少なくとも１つの固定場所送受信機によってサービス提供される。基地局は、携帯電話、ポケベル、ワイヤレスノートパッド、コンピュータ、および他のモバイル通信デバイス等の種々のユーザ機器（「ＵＥ」）タイプと通信する。
【０００３】
ワイヤレス通信システムでは、時間および周波数同期は、データの通信にとって不可欠である。典型的には、受信機は、送信機によって伝送される１つまたはそれを上回る信号を使用して、同期を得て維持する。一実施例は、ワイヤレス通信システムにおけるダウンリンク（ＤＬ）であって、基地局は、送信機であって、ユーザ機器は、受信機である。ＢＳからデータ伝送を有利かつ正常に受信するために、ＵＥは、ＢＳ送信機に同期される必要がある。同じことは、ＵＥからＢＳへのデータのアップリンク（ＵＬ）伝送にも当てはまる。
【０００４】
同期の一側面は、時間同期である。時間同期は、ＵＥが、１つまたはそれを上回る粒度のレベルにおいて、ＢＳから受信された信号の時間的構造を検出することを意味し得る。ＬＴＥ（ロング・ターム・エボリューション）ネットワークでは、例えば、ＵＥは、進化型ＮｏｄｅＢ（ＬＴＥ  ＢＳである、「ｅＮｏｄｅＢ」）または他のＢＳから受信された信号内において、シンボル、スロット、サブフレーム、無線フレームタイミング等を検出することができる。時間同期は、信号内の他の部分、例えば、情報およびデータを搬送する部分を時間内で正しく抽出するために使用されることができる。
【０００５】
同期の別の側面は、周波数同期である。周波数同期は、いくつかの実施例では、ＵＥが、ＢＳから受信された信号のキャリア（中心）周波数を推定することを意味し得るが、他の周波数同期技法もまた、使用される。周波数同期は、データ受信性能を改善するために使用されることができる。
【０００６】
本明細書で使用されるように、用語「同期」は、時間同期、周波数同期、または両方を指すために使用される。
【０００７】
多くのセルラーシステムでは、セルは、セル識別番号（セル−ｉｄ）によって、ＵＥの観点から、相互に区別される。セル−ｉｄは、多くの場合、例えば、参照信号シーケンス、スクランブリングシーケンス、同期信号特性、および同等物等、異なるセル−ｉｄのための異なる伝送特性に反映される。ＵＥは、例えば、ある推定される物理層パラメータから、自らが居るセルの識別を検出し、続いて、検出されたセル−ｉｄから、物理層特性等の他の特性を把握することが可能であり得る。いくつかのセルラーシステムでは、ＢＳは、複数のセルにサービス提供する、すなわち、複数のセルに対応する信号を伝送および受信することができる。
【０００８】
ＬＴＥ（ロング・ターム・エボリューション）およびＬＴＥアドバンストシステムは、以下、集合的に、ＬＴＥセルラーシステム、ＬＴＥシステム、ＬＴＥネットワーク、または単にＬＴＥと称される、セルラーシステムである。ＬＴＥネットワーク内のＵＥは、周期的に、進化型ＮｏｄｅＢ（「ｅＮｏｄｅＢ」または「ｅＮＢ」）によって伝送される、一次および二次同期信号（ＰＳＳおよびＳＳＳ）を検索することによって、ＬＴＥネットワークを検出することができる。一次および二次同期信号の検出から、ＵＥはまた、セル識別番号（セル−ｉｄ）を把握することができ、これは、ＬＴＥでは、物理セル識別（ＰＣＩ）と呼ばれ得る。ＰＣＩから、ＵＥは、時間および周波数場所ならびにセル特有参照信号（ＣＲＳ）のために使用されるシーケンスを把握する。
【０００９】
ＵＥは、典型的には、ＵＥのサービス提供セルと呼ばれ得る、セルと接続される、またはそれと関連付けられる。ＵＥがデータを受信し、および／またはＵＥがデータを伝送する、セルは、典型的には、サービス提供セルと称される。言い換えると、ＵＥは、そのサービス提供セルと通信する、それと情報を交換する、またはそれとアクションを実施することによって、機能する。いくつかの実施例では、ＵＥは、データを複数のセルから受信し、および／またはそこにデータを伝送し得るように、１つを上回るセルと接続される、またはそれと関連付けられる。そのような実施例では、ＵＥは、複数のサービス提供セルを有する。これは、ＵＥが、ＬＴＥアドバンストネットワーク等において、キャリアアグリゲーションまたは多地点協調（ＣｏＭＰ）可能である場合のシナリオである。
【００１０】
ＵＥが行うアクションの多くは、あるセルに向かって指向される。そのようなＵＥアクションは、本明細書では、セル指向ＵＥアクションと称される。セル指向ＵＥアクションの実施例として、限定ではないが、以下が挙げられる。ＵＥが、あるセルからの信号に測定を行う。ＵＥが、例えば、ハンドオーバの一部として、あるセルに接続するために、ランダムアクセスプロシージャを開始する。ＵＥが、あるセルから受信する、またはそこに伝送する。
【００１１】
これらの実施例は、以下にさらに詳細に論じられる。これらの実施例のそれぞれでは、ＵＥは、典型的には、ＵＥに現在サービス提供しているセルに同期されるように、これらのアクションを行う。異なる実施例は、異なるレベルの同期正確度を要求し得る。
【００１２】
ＵＥは、地理的エリア全体を通して移動可能なモバイルデバイスであって、ＵＥは、動き回るにつれて、関連付けられたセルと機能可能である必要がある。セルラーシステム内のＵＥ移動度を促進するために、１つのセル指向ＵＥアクションは、ＵＥが異なるセルからの信号に測定を行うステップを伴う。例えば、参照信号の受信された信号電力が、測定されることができる。ＬＴＥおよび他のシステムでは、ＵＥは、参照信号受信電力（ＲＳＲＰ）または参照信号受信品質（ＲＳＲＱ）を測定および報告することができる。セルからの信号に測定を行うために、ＵＥは、典型的には、セルに同期される。例えば、ＬＴＥでは、セル特有参照信号（ＣＲＳ）が、サブフレームのサブセット内およびサブフレーム内のシンボルのサブセット上で伝送される。したがって、特定のセルからのＣＲＳに測定を行うために、ＵＥは、そのセルへの時間および周波数同期を使用して、測定することを所望するセルから、ＣＲＳを含有する受信された信号の時間−周波数部分を抽出することができる。
【００１３】
別のセル指向ＵＥアクションは、ＵＥが、セルに接続するために、ランダムアクセスプロシージャを開始するステップを伴う。これは、ＵＥが、長時間、アイドル状態であった場合、またはセル間のハンドオーバを行なっている場合、有利であり得る。ランダムアクセスプロシージャは、典型的には、ＵＥによる第１のランダムアクセス信号の伝送から開始する。本信号は、ＵＥが接続を所望するセルの時間および周波数同期に従って伝送されることができる。例えば、ＬＴＥでは、第１のランダムアクセス信号は、物理ランダムアクセスチャネル（ＰＲＡＣＨ）プリアンブルと呼ばれる。ＰＲＡＣＨは、有利には、ｅＮＢによって検出されるために、セルの明確に定義された時間−周波数リソース内で伝送され得る。
【００１４】
別のセル指向ＵＥアクションでは、ＵＥは、データをセルから受信する、またはデータをセルに伝送する。これを行うために、ＵＥは、従来のシステムでは、セルに同期される必要がある。例えば、ＬＴＥセルでは、ダウンリンクおよびアップリンク伝送は、セルの同期に関連して明確に定義された時間および周波数パラメータ値を有する、リソースブロックのセットに制約され得る。
【００１５】
前述のセル指向ＵＥアクション、すなわち、ＵＥ測定、ランダムアクセス、ならびにデータ受信および伝送はそれぞれ、ＵＥがセルと同期されるステップを伴う。
【００１６】
ＵＥがセル指向ＵＥアクションを行うセルは、標的セルと呼ばれる。故に、前述の実施例と一貫して、ＵＥは、標的セルからの信号に測定を行うことができ、ＵＥは、例えば、ランダムアクセス信号を伝送することによって、標的セルに向かってランダムアクセスを開始することができ、ＵＥは、標的セルからデータ伝送を受信することができ、ＵＥは、データを標的セルに伝送することができる。さらに、前述の説明と一貫して、これらのセル指向ＵＥアクションを行う際、ＵＥは、標的セルに同期される。
【００１７】
しかしながら、標的セルへの同期は、正確度、電力消費、複雑性、持続時間、またはＵＥと標的セルとの間の他の問題に関連して満足のゆくものではない場合がある。
【発明の概要】
【課題を解決するための手段】
【００１８】
本開示は、ワイヤレス通信システムに関する。ワイヤレス通信システムは、ネットワークを形成する、多数のＵＥおよびセルを含む。ＵＥは、異なる地理的領域を通して移動するモバイルデバイスであって、限定ではないが、携帯電話、ポケベル、ワイヤレスノートパッド、コンピュータ、および他のモバイル通信デバイスを含む。ＵＥとセルとの間にデータ伝送が存在するために、より具体的には、ＵＥとセルと関連付けられたＢＳとの間にデータ伝送が存在するために、またはセルに種々の測定を行うために、同期が、ＵＥとセルとの間に必要とされる。ＵＥが、データを伝送および受信するセルと関連付けられるとき、セルは、サービス提供セルとして知られる。
【００１９】
いくつかの実施形態では、セルへの同期は、複数ステップにおいて得られる。１つの複数ステップ実施形態は、２ステップ同期実施形態である。ＬＴＥにおける１つの２ステップ実施形態では、第１の同期ステップにおいて、粗略同期が、セルのＰＳＳ／ＳＳＳを使用して得られる。ＰＳＳ／ＳＳＳは、ＵＥが時間および周波数リソースならびにＣＲＳのシーケンスを推測する、セルのＰＣＩを示すことに留意されたい。随意の第２の同期ステップでは、緻密同期が、得られる。ＬＴＥでは、緻密同期は、セルのＣＲＳを使用して得られる。
【００２０】
ＵＥは、世界中の任意の場所にあってもよい。データ伝送および他の通信をもたらすために（すなわち、ＵＥが動作または機能するために）、ＵＥは、セル、すなわち、「標的セル」に向かってアクションを行う必要がある。標的セルは、限定ではないが、ＵＥおよびセルの地理的場所、近傍セルからのＵＥにおいて測定されたダウンリンク信号強度またはＵＥからの近傍セルにおいて測定されたアップリンク信号強度、近傍セルにおける干渉および負荷レベル等、種々の要因によって識別されることができる。アクティブに使用される前に、例えば、ＵＥと標的セルとの間のデータ伝送前に、ＵＥは、有利には、標的セルに向かって、ＵＥが良好に機能することを可能にする、１つまたはそれを上回るセル指向ＵＥアクションを行うであろう。ＵＥは、セルとセル指向ＵＥアクションを行うとき、標的セルと同期されなければならない。そのようなセル指向ＵＥアクションは、限定ではないが、以下に説明されるセル指向アクション［ａ］からｇ）］を含む。いくつかのセルラーシステム実施形態では、ＵＥは、セル指向ＵＥアクションの実施に先立って、例えば、時間および／または周波数において、同期または標的セルと同期される。本実施形態では、ＵＥは、同期セルと同期し、次いで、標的セルとセル指向ＵＥアクションを行うことができる。いくつかの実施形態では、ＵＥは、本開示の方法に従って、セル検出または同期関連パラメータ推定等のセル指向ＵＥアクションを実施することによって、セルとさらに同期される。これらの実施形態では、同期セルと部分的または粗略同期が、標的セルとの同期プロセスにおける第２のステップとしての役割を果たす、セル指向ＵＥアクションに先立って生じ得る。
【００２１】
本開示によると、ＵＥおよびセルを含む、ネットワークは、好適な同期セルを識別する。種々のプロセッサは、好適な同期セルを識別するために使用される。同期セルは、ＵＥが同期され得るセルである。ネットワークは、種々の実施形態では、好適な同期セルを識別するために、種々のセル内のＢＳの同期パラメータ、相互同期のレベル、地理的場所、キャリア周波数等のテーブルを維持する、または別様にそれを追跡する、ネットワーク計画構成要素、無線ネットワークサーバ、または他のネットワーク監視サーバを含んでもよい。ネットワークは、好適な同期セルまたは同期セルのセットを識別するために、種々のセル内のＢＳの同期パラメータ、相互同期のレベル、地理的場所、および特性を測定する、種々の構成要素を含んでもよい。他の実施形態では、他のプロセッサは、同期セルまたは複数のセルを識別する。
【００２２】
ネットワークは、ＳＣＩ（同期セルインジケータ）信号をＵＥに送信し、少なくとも１つの「同期」セル、すなわち、ＵＥが有利に同期され得るセルを識別するか、あるいは、少なくともＵＥが、少なくとも１つの同期セルを識別することを可能にする。ＳＣＩは、種々の実施形態では、同期のための種々の異なるタイプの情報をそれとともに搬送する。ＳＣＩは、種々の実施形態では、有利には、同期セルを識別する少なくともセル−ｉｄをそれとともに搬送する。いくつかの実施形態では、ＳＣＩは、セル−ｉｄのセットを含有する。他の実施形態では、ＳＣＩは、他のセル識別情報を伝える。種々のプロセッサならびにＢＳおよび他の送信機等の種々の構成要素は、種々の実施形態では、ＳＣＩ信号を送信することができる。
【００２３】
ＳＣＩは、ＵＥに、アクションにおいて、セル指向ＵＥアクションが指向されるセル、すなわち、標的セルではなく、別のセル、すなわち、同期セルへの同期を使用することができることを知らせる。種々の形態をとり、種々のデータを伝えることができる、セル−ｉｄに加え、ＳＣＩはまた、同期パラメータオフセットのセット、例えば、ＵＥがＳＣＩ内のセルの見出された同期に追加し得る、時間オフセットを含んでもよい。
【００２４】
ＳＣＩを受信後、ＵＥは、同期アクションを実施し、同期される。同期セルは、ＵＥがＳＣＩを受信するサービス提供セルであってもよく、または別のセルであってもよい。いくつかの実施形態では、ネットワークは、相互に非常に良好に同期される、多くのセルを含み、これは、ＵＥが、セルのうちの１つ、すなわち、同期セルと同期され、次いで、別の、例えば、標的セルと、セル指向ＵＥアクションを実施し、例えば、次いで、随意に、他のセルと通信することによって、データを伝送および受信することを可能にする。
【００２５】
いくつかの実施形態では、ＳＣＩは、同期が、サービス提供セルまたは別のセルと行われ得る、すなわち、複数のセルのいずれかと行なわれ得ることを示す。ＵＥが、同期セルと同期され、標的セルと１つまたはそれを上回るセル指向ＵＥアクションを実施後、ＵＥは、現時点でサービス提供セルとして作用する本セルと、データを伝送および受信することができる。これは、１つのサービス提供セルから別のセルへのハンドオーバと呼ばれる。いくつかの実施形態では、ＵＥは、ハンドオーバ完了後もまた、同期のために同期セルを使用し続ける。
【００２６】
要するに、いくつかの実施形態では、同期セルおよび標的セルは、同一であって、他の実施形態では、同期セルおよび標的セルは、異なる。いくつかの実施形態では、同期は、標的セルとのセル指向ＵＥアクションの実施に先立って生じ、他の実施形態では、標的セルとのセル指向ＵＥアクションの実施は、同期プロセスにおけるさらなるステップである。同期がセル指向ＵＥアクションに先立って生じる、第１の実施形態によると、同期は、同期セル（標的セルおよび同期セルが同一である実施形態では、標的セルであり得る）と実施される種々の同期動作およびプロセスを伴う。いくつかの実施形態では、本同期動作／プロセスは、ＵＥが、シグネチャ信号またはパターンから時間／周波数同期情報を検索するステップを含む。ＵＥが、本シグネチャ信号またはパターンを見つけると、タイミングまたは周波数等のいくつかの同期特性の理解を得る、すなわち、同期を達成する。同期動作／プロセスはまた、ＵＥが、セルの時間／周波数特性に関連するパラメータを推定するステップを含んでもよい。ＵＥは、同期セルと、前述の同期動作／プロセスを行うことによって同期された後、次いで、標的セルとセル指向ＵＥアクションを実施する。同期が継続され、ある場合には、完了される、すなわち、セル指向ＵＥアクションを実施することによって達成される、第２の実施形態によると、セル指向ＵＥアクションの前に、粗略同期ステップが先行する。この後、標的セルとセル指向ＵＥアクションを実施する微調整同期ステップが続く。本実施形態によると、粗略同期ステップは、同期セル（標的セルおよび同期セルが同一である実施形態では、標的セルであり得る）と実施され、同期を完了するために使用され、セル指向ＵＥアクションを実施することによって達成される、微調整ステップは、標的セルと行われる。別の実施形態では、同期セルと実施される同期ステップ、例えば、粗略同期の後に、標的セルに向かって指向されるセル検出ＵＥアクションが続く。他の実施形態では、他の同期関連ＵＥアクションは、同期セルと実施される同期ステップと併せて、標的セルと行われる。
本発明は、例えば、以下を提供する。
(項目１）
ワイヤレス通信システムにおける方法であって、
モバイルネットワーク内のユーザ機器（ＵＥ）が、アクションを行うときに同期され得る少なくとも１つの同期セルを識別するステップと、
同期セルインジケータ（ＳＣＩ）を前記ＵＥに送信するステップであって、前記ＳＣＩは、前記少なくとも１つの同期セルを識別する、または前記ＵＥが、前記少なくとも１つの同期セルを識別することを可能にする、ステップと、
前記ＵＥが、少なくとも部分的に前記少なくとも１つの同期セルの第１の同期セルと同期するステップと、
前記ＵＥが、標的セルに指向されたセル指向ＵＥアクションを実施するステップと、
を含む、方法。
(項目２）
前記ＵＥが、標的セルに指向されたセル指向ＵＥアクションを実施するステップは、前記ＵＥが、少なくとも部分的に同期する間、前記第１の同期セルから得られた同期を使用して行われる、項目１に記載の方法。
(項目３）
前記第１の同期セルおよび前記標的セルは、同一セルである、項目２に記載の方法。
(項目４）
前記ＵＥが、少なくとも部分的に同期するステップは、前記ＵＥが、部分的にのみ、同期するステップを含み、前記ＵＥが、標的セルに指向されたセル指向ＵＥアクションを実施するステップは、別の同期ステップを含む、項目１に記載の方法。
(項目５）
前記第１の同期セルおよび前記標的セルは、同一セルである、項目４に記載の方法。
(項目６）
前記ＵＥが、セル指向ＵＥアクションを実施するステップは、前記ＵＥが、前記標的セルとデータを伝送するステップと、前記標的セルからデータを受信するステップと、前記標的セルからの信号に測定を行うステップと、ランダムアクセス信号を前記標的セルに伝送するステップとのうちの少なくとも１つを含む、項目１に記載の方法。
(項目７）
前記第１の同期セルは、前記標的セルと異なる、項目１に記載の方法。
(項目８）
前記ＳＣＩは、前記ＵＥが前記標的セルとともに実施するための前記セル指向ＵＥアクションを示す、項目１に記載の方法。
(項目９）
前記ＳＣＩは、その中にセル−ｉｄを含むことによって、前記少なくとも１つの同期セルを識別する、項目１に記載の方法。
(項目１０）
前記ワイヤレス通信システムは、ロング・ターム・エボリューション（ＬＴＥ）システムを備え、前記セル−ｉｄは、物理セル識別（ＰＣＩ）および仮想セル−ｉｄのうちの１つを備え、前記仮想セル−ｉｄは、復調参照信号（ＤＭＲＳ）およびチャネル−状態情報参照信号（ＣＳＩ−ＲＳ）のスクランブリングシーケンスと関連付けられる、項目９に記載の方法。
(項目１１）
前記ＵＥが、少なくとも部分的に同期するステップは、前記ＵＥが、前記同期セルからの信号を使用して、前記標的セルと少なくとも部分的同期を得るステップを含む、項目１に記載の方法。
(項目１２）
前記少なくとも１つの同期セルは、複数の同期セルを備え、前記ＳＣＩは、その中に対応する複数のセル−ｉｄを含むことによって、前記複数の同期セルを識別する、項目１に記載の方法。
(項目１３）
前記ＳＣＩは、その中にセル−ｉｄのセットを含み、前記第１の同期セルは、前記セル−ｉｄのセットのうちの１つである関連付けられたセル−ｉｄを有する、任意のセルであることができる、項目１に記載の方法。
(項目１４）
前記ＳＣＩは、キャリアを示し、前記第１の同期セルは、前記キャリアの任意のセルを備える、項目１に記載の方法。
(項目１５）
前記ＳＣＩは、セル−ｉｄおよび前記セル指向ＵＥアクションを示し、前記セル指向ＵＥアクションにおいて使用される時間オフセットおよび周波数オフセットのうちの１つを含む、同期パラメータオフセットを含む、項目１に記載の方法。
(項目１６）
前記ＵＥは、第１のキャリア周波数を伴うサービス提供セルと関連付けられ、前記標的セルは、前記第１のキャリア周波数と異なる第２のキャリア周波数を含み、前記ＳＣＩは、前記第１のキャリア周波数を伴う前記少なくとも１つの同期セルを識別し、前記第１の同期セルは、前記標的セルと同一の同期特性およびパラメータを含む、項目１に記載の方法。
(項目１７）
前記第１の同期セルは、前記標的セルと同一の同期特性およびパラメータを含む、項目１に記載の方法。
(項目１８）
前記ＵＥは、第１のキャリア周波数を伴うサービス提供セルと関連付けられ、前記標的セルは、前記第１のキャリア周波数を含み、前記ＳＣＩは、前記第１のキャリア周波数を伴う前記少なくとも１つの同期セルを識別する、項目１に記載の方法。
(項目１９）
前記ワイヤレス通信システムは、ロング・ターム・エボリューション（ＬＴＥ）システムを備え、前記ＵＥが、少なくとも部分的に同期するステップは、前記ＵＥが、前記第１の同期セルの一次および二次同期信号（ＰＳＳおよびＳＳＳ）を使用して、前記第１の同期セルと同期するステップを含む、項目１に記載の方法。
(項目２０）
前記ＵＥが、第１の同期セルと少なくとも部分的に同期するステップは、前記ＵＥが、ホワイトリスト内のセルに対応するセル特有参照信号（ＣＲＳ）に測定を行うステップを含む、項目１９に記載の方法。
(項目２１）
前記ホワイトリストは、物理セル識別（ＰＣＩ）をその中にを含む、項目２０に記載の方法。
(項目２２）
前記ホワイトリストは、ＬＴＥリソース要素の仕様およびセル特有参照信号（ＣＲＳ）シーケンスの仕様を含む、項目２０に記載の方法。
(項目２３）
前記ＳＣＩは、前記モバイルネットワークのＵＥ測定構成内に含まれ、前記ＵＥ測定構成は、周波数内測定、周波数間測定、およびＲＡＴ（無線アクセス技術）間測定のうちの少なくとも１つに関連する測定パラメータを含む、項目１に記載の方法。
(項目２４）
前記同期セルおよび前記標的セルのうちの少なくとも１つは、同一セル−ｉｄを伴う複数の伝送地点伝送信号を備える、項目１に記載の方法。
(項目２５）
前記複数の伝送地点は、同一の一次および二次同期信号を伝送し、前記複数の伝送地点は、地理的に同じ場所ではない、項目２４に記載の方法。
(項目２６）
前記複数の伝送地点は、異なるセル特有参照信号（ＣＲＳ）を含有する、発見信号を伝送する、項目２５に記載の方法。
(項目２７）
前記異なるＣＲＳは、前記セル−ｉｄに対応しない、項目２６に記載の方法。
(項目２８）
前記複数の伝送地点は、異なるセル特異的参照信号（ＣＲＳ）を伝送し、それぞれ、復調参照信号（ＤＭＲＳ）およびチャネル−状態情報参照信号（ＣＳＩ−ＲＳ）のスクランブリングシーケンスと関連付けられた仮想セル−ｉｄと関連付けられる、項目２４に記載の方法。
(項目２９）
前記ワイヤレス通信システムは、ロング・ターム・エボリューション（ＬＴＥ）システムを備え、前記標的セルは、複数の非同一場所伝送地点に対応し、前記複数の伝送地点は、標的セル−ｉｄに対応しないセル特有参照信号（ＣＲＳ）を伝送する、項目１に記載の方法。
(項目３０）
前記ＳＣＩは、前記標的セルのためのセル−ｉｄを規定して、ＵＥ測定構成は、前記ＣＲＳに対応するさらなるセル−ｉｄを規定する、項目２９に記載の方法。
(項目３１）
前記ＵＥが、セル指向ＵＥアクションを実施するステップは、前記ＵＥが、少なくとも前記標的セルからの信号に測定を実施するステップを含み、前記ＵＥが、続いて、測定報告を発行するステップをさらに含み、前記測定報告は、前記第１の同期セルのセル−ＩＤを含む、項目１に記載の方法。
(項目３２）
前記ＳＣＩは、検索窓を備えるが、同期セル−ＩＤを備えず、前記セル指向ＵＥアクションは、前記ＵＥが測定を施行するステップを含み、前記ＵＥが、前記セル指向ＵＥアクションにおいて使用される同期セル−ＩＤを識別する測定報告を発行するステップをさらに含む、項目１に記載の方法。
(項目３３）
前記ＵＥが、測定ホワイトリストから前記同期セル−ｉｄを得るステップをさらに含む、項目３２に記載の方法。
(項目３４）
前記ＳＣＩを送信するステップは、前記ＳＣＩを含む、ダウンリンクまたはアップリンクスケジューリング許可のうちの１つを含む、項目１に記載の方法。
(項目３５）
前記ＵＥが、セル指向ＵＥアクションを実施するステップは、前記ＵＥが、複数のセルのセル検索を実施するステップを含む、項目１に記載の方法。
(項目３６）
前記ＳＣＩは、複数のセル同期アクションを含み、前記ＵＥが、少なくとも部分的に前記少なくとも１つの同期セルの第１の同期セルと同期するステップは、前記ＵＥが、前記複数のセル同期アクションのサブセットのみを行うステップを含む、項目１に記載の方法。
(項目３７）
前記ＳＣＩは、前記ＵＥのための時間的検索窓を含み、前記ＵＥは、前記検索窓内において、前記第１の同期セルから同期信号を検出する、項目１に記載の方法。
(項目３８）
同期セルインジケータ（ＳＣＩ）を前記ＵＥに送信するステップは、前記ＳＣＩを含有するＵＥへのハンドオーバコマンドを備える、項目１に記載の方法。
(項目３９）
前記ＳＣＩは、測定構成内のセルと関連付けられる、項目１に記載の方法。
(項目４０）
前記測定構成は、ホワイトリストを備え、前記ワイヤレス通信システムは、ロング・ターム・エボリューション（ＬＴＥ）システムを備える、項目３９に記載の方法。
(項目４１）
ワイヤレス通信システムにおける方法であって、
モバイルネットワーク内のユーザ機器（ＵＥ）が、アクションを行うときに同期され得る少なくとも１つの同期セルを識別するステップと、
同期セルインジケータ（ＳＣＩ）を前記ＵＥに送信するステップであって、前記ＳＣＩは、前記少なくとも１つの同期セルを識別する、ステップと、
前記ＵＥが、前記少なくとも１つの同期セルの第１の同期セルとの同期ステップを実施するステップと、
前記ＵＥが、前記同期セルから得られた同期を使用して、標的セルに指向されたセル指向ＵＥアクションを実施するステップと、
を含む、方法。
(項目４２）
ワイヤレス通信システムにおける方法であって、
モバイルネットワーク内のユーザ機器（ＵＥ）が、アクションを行うときに同期され得る少なくとも１つの同期セルを識別するステップと、
同期セルインジケータ（ＳＣＩ）を前記ＵＥに送信するステップであって、前記ＳＣＩは、前記少なくとも１つの同期セルを識別する、ステップと、
前記ＵＥが、前記少なくとも１つの同期セルの第１の同期セルと部分的に同期するステップと、
前記ＵＥが、標的セルに指向されたセル指向ＵＥアクションを実施し、それによって、さらに同期される、ステップと、
を含む、方法。
(項目４３）
ワイヤレス通信システムにおける方法であって、
モバイルネットワーク内のユーザ機器（ＵＥ）が、アクションを行うときに同期され得る少なくとも１つの同期セルを識別するステップと、
同期セルインジケータ（ＳＣＩ）を前記ＵＥに送信するステップであって、前記ＳＣＩは、前記少なくとも１つの同期セルを識別する、ステップと、
前記ＵＥが、少なくとも部分的に前記少なくとも１つの同期セルの第１の同期セルと同期するステップと、
前記ＵＥが、少なくとも前記標的セルからの信号に測定を実施するステップと、
を含む、方法。
(項目４４）
セルラー通信システムであって、
モバイルネットワーク内のユーザ機器（ＵＥ）が、少なくとも部分的に同期され得るように、少なくとも１つの同期セルを識別し、送信機に、同期セルインジケータ（ＳＣＩ）を前記ＵＥに送信させるように構成されたプロセッサであって、前記ＳＣＩは、少なくとも間接的に、前記少なくとも１つの同期セルを識別する、プロセッサを備え、
前記ＵＥは、前記ＳＣＩを受信し、少なくとも部分的に、前記少なくとも１つの同期セルの第１の同期セルと同期し、標的セルとのセル指向ＵＥアクションを実施するように構成され、
前記ＵＥは、前記標的セルと同期された後、前記標的セルとのデータの伝送および受信のうちの少なくとも１つを行うように構成される、
システム。
(項目４５）
前記ＳＣＩは、セル−ｉｄを含む信号である、項目４４に記載のセルラー通信システム。
(項目４６）
前記ＳＣＩは、複数の同期セルと関連付けられたセル−ｉｄのセットを含む信号である、項目４４に記載のセルラー通信システム。
(項目４７）
前記第１の同期セルは、前記標的セルと異なる、項目４４に記載のセルラー通信システム。
(項目４８）
前記ＵＥは、前記第１の同期セルと部分的に同期し、前記標的セルとの前記セル指向ＵＥアクションを実施することによって、さらに同期されるように構成される、項目４４に記載のセルラー通信システム。
(項目４９）
前記ＵＥは、前記第１の同期セルとの同期を得て、前記第１の同期セルから得られた同期を使用して、前記標的セルとの前記セル指向アクションを実施するように構成される、項目４４に記載のセルラー通信システム。
(項目４８）
前記セルラー通信システムは、ロング・ターム・エボリューション（ＬＴＥ）システムを備え、前記セル−ｉｄは、物理セル識別（ＰＣＩ）および仮想セル−ｉｄのうちの１つを備え、前記仮想セル−ｉｄは、復調参照信号（ＤＭＲＳ）およびチャネル−状態情報参照信号（ＣＳＩ−ＲＳ）のスクランブリングシーケンスと関連付けられる、項目４４に記載のセルラー通信システム。
(項目５０）
前記セルラー通信システムは、ロング・ターム・エボリューション（ＬＴＥ）システムを備え、前記ＵＥは、前記第１の同期セルの一次および二次同期信号（ＰＳＳ）および（ＳＳＳ）を使用し、前記第１の同期セルと同期する、項目４４に記載のセルラー通信システム。
(項目５１）
標的セルとのセル指向ＵＥアクションを実施するように構成されるＵＥは、ホワイトリスト内のセルに対応するセル特有参照信号（ＣＲＳ）に測定を行うように構成されるＵＥを含む、項目５０に記載のセルラー通信システム。
(項目５３）
前記ホワイトリストは、物理セル識別（ＰＣＩ）とＬＴＥリソース要素の仕様およびセル規定参照信号（ＣＲＳ）シーケンスの仕様を含む、項目５２に記載のセルラー通信システム。
(項目５４）
前記標的セルは、地理的に同じ場所にない複数の伝送地点を備え、前記複数の伝送地点は、標的セル−ｉｄに対応しないセル特有参照信号（ＣＲＳ）を伝送する、項目４４に記載のセルラー通信システム。
(項目５５）
前記伝送地点は、アンテナおよび遠隔無線ユニットのうちの少なくとも１つを含む、項目５４に記載のセルラー通信システム。
(項目５６）
前記伝送地点は、同一の一次および二次同期信号を伝送する、項目５４に記載のセルラー通信システム。
(項目５７）
前記セルラー通信システムは、ＵＥ測定構成を含み、前記ＵＥ測定構成は、測定ホワイトリストを含み、前記ＳＣＩは、前記測定構成内のセルと関連付けられる、項目４４に記載のセルラー通信システム。
(項目５８）
前記セルラー通信システムは、前記ＵＥ測定構成内に複数のセルを備え、前記複数のセルは、前記測定ホワイトリスト内に含まれ、さらなるＳＣＩと関連付けられる、項目５８に記載のセルラー通信システム。
【図面の簡単な説明】
【００２７】
本開示は、付随の図面と併せて熟読されるとき、以下の発明を実施するための形態から最も良く理解される。慣例に従って、図面の種々の特徴は、必ずしも、正確な縮尺ではないことを強調されたい。同一番号は、明細書および図面全体を通して同一特徴を示す。
【００２８】
【図１】図１は、本開示のいくつかの実施形態による方法を示す、フロー図である。
【発明を実施するための形態】
【００２９】
本開示は、同期セルおよび同期セルインジケータ（ＳＣＩ）の概念を提供する。
【００３０】
図１は、本開示のいくつかの実施形態による方法を図示する、フロー図を提供する。
【００３１】
ステップ１０１では、ネットワークは、ＵＥに好適な同期セルを識別する。本段階では、ＵＥまたはネットワークは、ＵＥがアクションを行うべき標的セルと事前に識別され得る。ステップ１０３では、ネットワークは、ＳＣＩ（同期セルインジケータ）をＵＥに送信し、好適な同期セルまたは可能性として同期セルとしての役割を果たし得るいくつかのセルを識別するか、あるいは、少なくとも、ＵＥが少なくとも１つの同期セルを識別することを可能にする情報を搬送する。いくつかの実施形態では、同期セルは、標的セルであり得る。ＳＣＩは、いくつかの実施形態では、単一ＵＥ（ユニキャスト）に、または他の実施形態では、セル内の複数のＵＥ（マルチキャスト）または全ＵＥ（ブロードキャスト）に送信される。ＳＣＩは、少なくとも１つの同期セルの少なくともセル−ｉｄを含む。
【００３２】
ステップ１０５では、ＵＥは、同期セルと同期し、ステップ１０７では、ＵＥは、標的セルとセル指向ＵＥアクションを実施する。いくつかの実施形態では、ステップ１０５および１０７は、連続して実施される。同期が２つの部分において生じる、いくつかの実施形態では、ＵＥは、ステップ１０７においてセル指向ＵＥアクションを行い、同期プロセスを完了する。この場合、ステップ１０５および１０７は、相互に連動して、いくつかの実施形態では、少なくとも部分的に、同時に実施される。ステップ１０５および１０７が部分的に同時に実施される、２ステップ実施形態によると、同期は、同期ステップａおよびｂの実施を含んでもよい。一実施形態では、同期ステップａは、同期セル（ステップ１０５）に行われる粗略同期ステップであって、同期ステップｂは、同期を促進する微調整同期ステップであって、ＵＥが、標的セルとセル指向ＵＥアクションを実施するステップ（ステップ１０７）を伴う。他の実施形態では、粗略および微調整ステップの両方が、同期セルに行われ、同期ステップｂは、加えて、同期ステップｂがセル指向ＵＥアクションである実施形態では、標的セルに行われる。いくつかの実施形態では、同期ステップｂは、セル検出アクションである。
【００３３】
ステップ１０９では、同期されたＵＥは、いくつかの実施形態では、現時点でサービス提供セルであるセルと、伝送および／または受信によって、データを交換することによって、機能／動作する。他の実施形態では、ステップ１０９において、同期されたＵＥは、セル指向ＵＥアクションが測定である実施形態によると、測定結果の報告をサービス提供セルに送信するステップ等、他のアクションを行う。
【００３４】
フロー図は、本開示の種々の実施形態による方法の概要を提供する。図１に関連して前述のステップのそれぞれのさらなる詳細は、以下に提供される。
【００３５】
本開示は、前述のように、同期セルおよび同期セルインジケータ（ＳＣＩ）の概念を提供する。
【００３６】
ＵＥまたはネットワークは、ＵＥがアクションを行うべき標的セルを識別する。標的セル選択は、ＵＥの地理的場所およびセル、近傍セルからのＵＥにおいて測定されたダウンリンク信号強度またはＵＥからの近傍セルにおいて測定されたアップリンク信号強度、近傍セルにおける干渉および負荷レベル等を含む、いくつかの要因に基づくことができる。
【００３７】
概して、セル指向ＵＥアクションは、セルラーシステムが良好に機能するために必要である。概して、ＵＥは、セル指向ＵＥアクションを行うとき、少なくともある程度、セルに同期される必要がある。最先端技術および他のセルラーシステムでは、これは、ＵＥが、標的セルから伝送される信号を使用して、標的セルに同期することによって得られる。ＵＥは、したがって、望ましくは、ＵＥがアクションを行う、本標的セルと同期する。しかしながら、いくつかの状況および実施形態では、標的セルへの同期は、満足のゆくものではない場合がある。標的セルへの同期は、正確度、電力消費、複雑性、持続時間、またはＵＥと標的セルとの間の他の問題に関連して、満足のゆくものではない場合がある。
【００３８】
種々の実施形態では、セルラーネットワークは、ネットワーク内の異なるセルＢＳ間の同期のレベル（既知のオフセットを含む）ならびにＵＥ同期に影響を及ぼす他の関連パラメータを認知している。種々の実施形態では、ネットワークは、同期のために好適なセル、すなわち、好適な同期セルを識別するために、種々のセル内のＢＳの同期パラメータのテーブルまたはホワイトリストを維持もしくは別様に追跡する、ネットワーク計画構成要素、無線ネットワークサーバ、または他のネットワーク監視サーバを含んでもよい。ネットワークは、種々のセル内のＢＳの同期パラメータおよび特性を測定する、種々の構成要素を含んでもよい。このように、プロセッサまたはネットワークの他の構成要素は、同期セルを識別し、ネットワークは、複数のセルが同一の同期パラメータおよび特性を共有し、同期セルとしての役割を果たし得ることを識別してもよい。
【００３９】
標的セルへの同期と関連付けられた前述の潜在的問題に起因して、いくつかの実施形態では、ＵＥに、同期のための１つのセルと、セル指向ＵＥアクションのための別のセルとを使用するように命令することが有益となり得る。これが特に有用である、一実施形態は、ネットワークが、同期セルのＵＥ同期正確度が標的セルのものより優れていると判定する場合である。いくつかの状況では、ＵＥは、標的セルへの同期を得ることが可能ではない場合さえある。これは、ＵＥが、依然として、標的セルに／標的セルとセル指向ＵＥアクションを行うことが可能であり得る場合でさえ、同期信号干渉に起因して起こり得る。そのような場合、ＵＥは、セル指向ＵＥアクションを行うことが可能となるためのネットワークからの同期補助から恩恵を受ける。
【００４０】
そのようなシナリオおよび他の実施形態では、ネットワークは、本開示による、好適な同期セルを識別する。同期セルは、ＵＥが、標的セルに向かってアクションを行うときに同期され得る、セルである。
【００４１】
通例、ＵＥは、少なくともある程度、標的セルに同期されるように、標的セルに向かってアクションを行う。最先端技術および他のセルラーシステムでは、同期は、標的セルからの信号を使用して得られる。本開示の種々の実施形態によると、同期は、ＳＣＩ内の他の情報とともに、同期セルからの信号を使用することによって得られる。同期正確度は、種々の実施形態では、変動する。いくつかの実施形態では、同期は、セル指向ＵＥアクションに先立って得られる。いくつかの実施形態では、同期は、以下に説明されるように、セル指向ＵＥアクションと連動して得られる。セル指向ＵＥアクションは、セルからの１つまたはそれを上回る信号に１つまたはそれを上回る測定を行うステップを含むが、これは、以下にさらに詳細に説明される。種々のＬＴＥ実施形態では、ＵＥは、セルからのＰＳＳ／ＳＳＳを検出することによって、および／またはセルからのＰＳＳ／ＳＳＳおよび／またはＣＲＳに基づいて、同期パラメータを推定することによって、セルに同期することができる。
【００４２】
種々の他のセル指向ＵＥアクションは、種々のセルラーシステム実施形態に関して以下に説明される。標的セルへの同期を使用する、セル指向ＵＥアクションの実施形態は、以下に提示されるセル指向ＵＥアクション（ａ）−（ｇ）に論じられる。
【００４３】
本発明の種々の実施形態では、以下に説明されるように、標的セルへの同期を要求する代わりに、セル指向ＵＥアクションは、本明細書に説明されるように、ＳＣＩ内に示される、同期セルへの同期を使用して行われる。同期セルは、概して、本開示では、標的セルと異なる（本明細書に説明されるように）が、以下のセル指向ＵＥアクションは、同期が標的セル信号から得られた標的セルへの同期の文脈において説明される、最先端技術の文脈において説明されることに留意されたい。
【００４４】
以下のセル指向ＵＥアクションは、少なくともある程度、標的セルに同期される様式において行われる。
ａ）  ＵＥが、標的セルからの信号に測定を行う。
ｂ）  ＵＥが、ランダムアクセス信号を標的セルに伝送することによって、ランダムアクセスプロシージャを開始する。
ｃ）  ＵＥが、標的セルからデータを受信する。
ｄ）  ＵＥが、データを標的セルに伝送する。
ｅ）  セル検出（例えば、セル検索の一部として）：ＵＥが、標的セルに検出動作を行う。
【００４５】
セル検出実施形態ｅ）では、ＵＥは、複数の異なる同期パラメータ値、例えば、複数の異なる時間および周波数オフセットのために、検出動作を行うことによって、同期を得てもよい。本意味では、セル指向ＵＥアクション「セル検出」は、同期様式において行われる、検出動作のみを含んでもよい。いくつかの実施形態では、検出されたセルをもたらす、セル検出は、ＵＥが標的セルに同期されるのに伴って行われたと見なされ得る。
ｆ）  ＵＥが、標的セルの同期パラメータの推定を行うとき、少なくともある程度、標的セルに同期される。
【００４６】
同期パラメータ推定実施形態ｆ）では、推定は、標的セルへの同期が得られた後も、随時、行われてもよい。代替として、本推定は、ＵＥが標的セルへの同期を得たことと連動して行われてもよい。加えて、セル指向ＵＥアクション「同期パラメータ推定」は、ある程度、標的セルに同期される様式において、ＵＥによって行われてもよい。同様に、「セル検出」アクションに関して、本同期は、複数の異なる同期パラメータ値、例えば、複数の異なる時間および周波数オフセットのために、複数のアクションを行うことによって得られてもよい。標的セルに同期される様式において、ＵＥによって行われる「同期パラメータ推定」アクションのサブセットは、したがって、セル指向ＵＥアクションとして見なされ得る。
ｇ）  セル発見：ＵＥが、標的セルの発見を行うとき、少なくともある程度、標的セルに同期される。
【００４７】
実施形態ｇ）のセル発見プロセスは、ＢＳによって伝送されるセル発見信号を受信および処理すること（例えば、その検出および／または推定）によってＵＥによって行われてもよい。セル発見信号は、同期信号と異なっていてもよく、例えば、ＬＴＥシステム内のＰＳＳ／ＳＳＳ／ＣＲＳ、例えば、ＣＲＳおよびＣＳＩ−ＲＳの組み合わせと異なってもよい。加えて、セル発見信号は、例えば、ＬＴＥシステム内のＣＲＳおよびＣＳＩ−ＲＳ等、それ自体同期を提供しなくてもよい。
【００４８】
標的セルに同期される様式において使用される、セル指向ＵＥアクションの種々の実施形態は、上記に提示されるセル指向ＵＥアクション（ａ）−（ｇ）に論じられる。当業者によって理解されるであろうように、前述のアクション（ａ）−（ｇ）は、そのようなセル指向ＵＥアクションのいくつかの実施例にすぎない。これらの実施例は、ＵＥ自体が信号を分析し、および／または標的セルと相互作用し、同期される文脈において説明された。本発明の１つまたはそれを上回る例示的実施形態が、以下に説明され、セル指向ＵＥアクションは、標的セルの代わりに、同期セルへの同期を使用する。標的セルとのセル指向ＵＥアクションが複数ステップ同期実施形態における第２のステップである、実施形態によると、前述の実施例以外の種々の他のセル指向ＵＥアクションが、同期の完了のために使用されることができる。
【００４９】
本開示は、種々の実施形態では、前述のもの等のセル指向ＵＥアクションを使用して、標的セル（アクションのためにＵＥによって標的にされるセル）にのみ同期するステップの代わりに、セル指向ＵＥアクションが、ネットワーク、例えば、ＢＳによって、ＵＥに送信され、同期セルを示す、ＳＣＩメッセージ内に示される、同期セルへの同期を使用して行われ得ることを提供する。
【００５０】
同期セルは、前述のように、プロセッサまたはネットワークの他の構成要素によって識別される。相互ＢＳ同期、ＢＳ場所等のネットワーク設計および特性によって、ネットワークは、どの標的セルおよびどの種類のセル指向ＵＥアクションに対して、どのセルが同期セルとして使用され得るかの情報を有し得る。標的セル、同期セル、およびアクション間の、例えば、テーブルの形態における、本関連性は、（部分的に）ネットワークオペレータによって手動で提供される、または（部分的に）ネットワーク内の測定および構成によって自動的に得られてもよい。同期セルは、標的セルと同一または異なってもよい。故に、同期セルは、セル指向ＵＥアクションにおける標的セルまたは別のセルであってもよい。いくつかの実施形態では、ネットワークは、相互に完璧に同期される、多くのセルを含み、これは、ＵＥが、同期セルと同期され、次いで、別の、すなわち、異なる標的セルとセル指向ＵＥアクションを実施することを可能にする。
【００５１】
同期セルおよび同期セルインジケータ（ＳＣＩ）の実施形態は、以下に論じられる。本明細書で使用されるように、同期セルは、ＵＥがセル指向ＵＥアクションを行うときに同期される、セルである。
【００５２】
ＳＣＩは、プロセッサまたは他の構成要素によって生成され、ＢＳまたは他の送信機等のネットワーク構成要素によって送信され得る、メッセージである。ＳＣＩは、ＵＥに送信され、それによって受信される。ＳＣＩは、種々の実施形態では、単一ＵＥ（ユニキャスト）、複数のＵＥ（マルチキャスト）、またはセル内の全てのＵＥ（ブロードキャスト）に送信されてもよい。いくつかの実施形態では、ＳＣＩは、セル−ｉｄを含有する。いくつかの実施形態では、ＳＣＩは、セル−ｉｄのセットを含有する。前述のように、異なる伝送特性が、多くの場合、例えば、参照信号シーケンス、スクランブリングシーケンス、同期信号特性、および同等物等、異なるセル−ｉｄにおいて使用される。いくつかの実施形態では、ＳＣＩは、セル指向ＵＥアクションにおいて使用される時間および／または周波数オフセット／窓等の種々の他の同期パラメータおよび特性を含有する。他の実施形態では、ＳＣＩメッセージは、他の情報を送達する。ＳＣＩは、ＵＥが、標的セルに向かって指向されるセル指向ＵＥアクションにおいて、同期を得るために、標的セルではなく、別のセル（同期セル）を使用し得ることを示す、信号または他のメッセージである。同期セルは、セル−ｉｄの形態で示されてもよい。前述および後述のように、ＳＣＩメッセージはまた、種々の他の情報を含有してもよい。ＳＣＩは、信号または他のメッセージを送信することによって、ＵＥと通信し、メッセージ内に含まれる情報によって同期セルを識別し示すか、あるいは、少なくとも、ＵＥが少なくとも１つの同期セルを識別することを可能にする情報を搬送する。いくつかの実施形態において、ＳＣＩは、検索窓を識別するが同期セルＩＤのない情報を搬送する。
【００５３】
種々のＬＴＥ実施形態では、セル−ｉｄは、物理セル−ｉｄおよび仮想セル−ｉｄを含む。種々のＬＴＥ実施形態（例えば、ＬＴＥリリース１１）では、上記で定義されたＰＣＩ（物理セル識別）に加え、「仮想セル−ｉｄ」の概念が存在する。仮想セル−ｉｄは、より高次の層信号伝達を使用して、ＵＥに信号伝達される。仮想セル−ｉｄは、いくつかの実施形態では、復調参照信号（ＤＭＲＳ）およびチャネル−状態情報参照信号（ＣＳＩ−ＲＳ）のスクランブリングシーケンスに接続される。ＬＴＥにおける物理セル−ｉｄおよび仮想セル−ｉｄは両方とも、ＳＣＩ内に含有され、以下の実施形態の説明に従い得る、セル−ｉｄの実施形態である。
【００５４】
いくつかの実施形態では、同期は、標的セルとのセル指向ＵＥアクションの実施に先立って生じ、他の実施形態では、標的セルとのセル指向ＵＥアクションの実施は、同期プロセスにおけるさらなるステップである。同期がセル指向ＵＥアクションに先立って生じる、第１の実施形態によると、同期は、同期セル（標的セルおよび同期セルが同一である実施形態では、標的セルであり得る）と実施される種々の同期動作およびプロセスを伴う。いくつかの実施形態では、本同期動作／プロセスは、ＵＥが、シグネチャ信号またはパターンから時間／周波数同期情報を検索するステップを含む。ＵＥが、本シグネチャ信号またはパターンを見つけると、タイミングまたは周波数等のいくつかの同期特性の理解を得る、すなわち、同期を達成する。同期動作／プロセスはまた、ＵＥが、セルの時間／周波数特性に関連するパラメータを推定するステップを含んでもよい。ＵＥは、同期セルと前述の同期動作／プロセスを行うことによって同期された後、次いで、標的セルとセル指向ＵＥアクションを実施する。同期が継続し、ある場合には、完了する、すなわち、セル指向ＵＥアクションを実施することによって達成される、第２の実施形態によると、セル指向ＵＥアクションの前に、粗略同期ステップが先行する。この後、標的セルとセル指向ＵＥアクションを実施する微調整同期ステップが続く。本実施形態によると、粗略同期ステップは、同期セル（標的セルおよび同期セルが同一である実施形態では、標的セルであり得る）と実施され、同期を完了するために使用され、セル指向ＵＥアクションを実施することによって達成される、微調整ステップは、標的セルと行われる。別の実施形態では、同期セルと実施される同期ステップ、例えば、粗略同期の後に、標的セルに向かって指向されるセル検出ＵＥアクションが続く。他の実施形態では、他の同期関連ＵＥアクションは、同期セルと実施される同期ステップと併せて、標的セルと行われる。
【００５５】
いくつかの実施形態では、ＳＣＩは、ＵＥに、セル指向ＵＥアクションのための同期セルを命令する。これは、ＵＥが、ＳＣＩ内に示されるセルまたは別のセルを同期セルとして使用し得ることを意味する。
【００５６】
種々の実施形態が、以下に説明され、標的セルとのセル指向ＵＥアクションは、ＳＣＩに基づいて、同期セルへの同期を得た後に実施される。当業者によって理解されるであろうように、前述のアクション（ａ）−（ｇ）は、そのようなセル指向ＵＥアクションのいくつかの実施形態にすぎず、種々の他の実施形態では、本明細書に説明される同期技法は、他の実施形態では、種々の他のセル指向ＵＥアクションのいずれかに関連し、それに適用されることができる。
【００５７】
いくつかの実施形態では、ＳＣＩは、ＵＥに、セル指向ＵＥアクションに関する同期セルを命令する。本実施形態では、ＵＥは、有利には、ＳＣＩ内に示されるセルを同期セルとして使用する。いくつかの実施形態では、ＳＣＩは、ＵＥに、セル指向ＵＥアクションのための可能性として考えられる同期セルを知らせる。いくつかの実施形態では、ＵＥは、ＳＣＩ内に示されるセルまたは別のセルを同期セルとして使用してもよい。
【００５８】
いくつかの実施形態では、ＳＣＩは、ＵＥのための時間的検索窓を含有する。
【００５９】
いくつかの実施形態では、ＵＥは、望ましくは、同期セルとして、ＵＥが検索窓内で同期信号を検出する任意のセルを使用する。いくつかの実施形態では、ＵＥが検索窓内で同期信号を検出する任意のセルが、同期セルとして使用されてもよい。
【００６０】
いくつかの実施形態では、ＵＥは、有利には、同期セルとして、ＵＥが検索窓内で同期信号を検出する、ＳＣＩ内のセル−ｉｄのセット内の任意のセルを使用する（セットは、単一セル−ｉｄを含有してもよい）。いくつかの実施形態では、ＵＥは、同期セルとして、ＵＥが検索窓内で同期信号を検出する、ＳＣＩ内のセル−ｉｄのセット内の任意のセルを使用してもよい（セットは、単一セル−ｉｄを含有してもよい）。
【００６１】
いくつかの実施形態では、ＳＣＩは、標的セルを含有する、すなわち、標的セルおよび同期セルは、同一である。いくつかの実施形態では、ＳＣＩは、標的セル以外であるが、標的セルと同一キャリア周波数上のセルである、同期セルを示す。いくつかの実施形態では、ＳＣＩは、標的セル以外であるが、標的セルと異なるキャリア周波数上のセルである、同期セルを示す。
【００６２】
いくつかの実施形態では、ＳＣＩは、キャリア上の任意のセルが、同期セルと使用されることができることを示す。いくつかの実施形態では、ＳＣＩは、任意のセルが同期セルとして使用され得るキャリアを明示的に示す。他の実施形態では、ＳＣＩは、任意のセルが、同期セルとして使用され得るキャリア、例えば、標的セルと同一周波数キャリア、または、別の実施形態では、サービス提供セルと同一周波数キャリアを暗示的に示す。
【００６３】
いくつかの実施形態では、ＳＣＩは、同期セルのための同期パラメータオフセットセットを含有する。いくつかの実施形態では、そのような同期パラメータオフセットセットは、同期セルのために見出される時間同期に関連して、ＵＥがセル指向ＵＥアクションにおいて適用するための時間オフセットを含む。いくつかの実施形態では、そのような同期パラメータオフセットセットは、同期セルのために見出される周波数同期に関連して、ＵＥが、同期を完了するために、セル指向ＵＥアクション、例えば、２ステッププロセスにおいて適用すべき周波数オフセットを含む。同期パラメータオフセットは、有利には、ネットワークが同期セルと標的セルとの間の同期パラメータオフセットを認知している実施形態において利用される。ネットワークが、標的セルが、時間オフセットを除き、同期セルと同一時間同期を有することを検出する場合、ネットワークは、種々の実施形態では、本時間オフセットをＳＣＩ内に示す。時間オフセット値は、種々の実施形態では、変動し得、いくつかの実施形態では、約１−１０ミリ秒、一実施形態では、約５ミリ秒であり得る。ＵＥは、次いで、同期セルへの時間同期を見出し、次いで、本時間オフセットをセル指向ＵＥアクションにおいて適用することができる。
【００６４】
種々の実施形態によると、周波数キャリアｆ１上にサービス提供セルを伴うＵＥは、周波数キャリアｆ２上の標的セルとのセル指向ＵＥアクションのためのＳＣＩを受信し、ＳＣＩは、ｆ１上のセルを含有する。いくつかの実施形態では、ＳＣＩは、ｆ１上のサービス提供セルを含有する。一実施形態は、ＳＣＩが、ＳＣＩ内に示されるように、ＵＥに、同期セルとしてｆ１上のサービス提供セルを用いて、ｆ２上の標的セルにセル指向ＵＥアクションを行うことを要求することを伴う。これは、ネットワークが、サービス提供セルおよび標的セルが同期されていることを認知している実施形態において、特に有利である。
【００６５】
いくつかの実施形態では、ｆ１上にサービス提供セルを伴うＵＥは、周波数キャリアｆ２上の標的セルとのセル指向ＵＥアクションのためのＳＣＩを受信し、ＳＣＩは、ｆ２上のセルを含有する。いくつかの実施形態では、ＳＣＩは、標的セルと異なるセルである、同期セルを含有する。一実施形態は、ＳＣＩに示されるように、ＵＥが、同期セルとして標的セルより強く受信されるｆ２上の別のセルとｆ２上の標的セルにセル指向ＵＥアクションを行うことが要求されることを含む。本実施形態は、ネットワークが、より強いセルおよび標的セル（両方ともｆ２上にある）が同期されていることを認知している実施形態において、有利である。
【００６６】
いくつかの実施形態では、ｆ１上にサービス提供セルを伴うＵＥは、同一周波数キャリアｆ１上の標的セルとのセル指向ＵＥアクションのためのＳＣＩを受信し、ＳＣＩは、ｆ１上のセルを含有する。一実施形態では、ＳＣＩは、標的セルと異なるセルを含有する。一実施形態は、ＳＣＩに示されるように、ＵＥが、同期セルとして標的セルより強く受信されたｆ１上の別のセルとｆ１上の標的セルにセル指向ＵＥアクションを行うように構成されるように要求されることを含む。本実施形態は、ネットワークが、両方ともｆ１上にあるより強いセルおよび標的セルが同期されていることを把握しているシナリオにおいて有利である。
【００６７】
いくつかの実施形態では、１つまたはそれを上回るＳＣＩが、ＵＥ測定構成に含まれる。ＵＥ測定構成は、例えば、周波数内測定、周波数間測定、ＲＡＴ間（無線アクセス技術）測定に関連する測定パラメータに関する、ネットワークによるＵＥの構成である。ＬＴＥ実施形態では、ＵＥ測定構成は、測定するための帯域幅、測定されるべきセルおよび測定すべき量のリスト、または他の測定構成を含むことができる。
【００６８】
種々の実施形態では、ＵＥ測定構成は、具体的セルに関する測定構成、例えば、ＬＴＥにおける測定ホワイトリストを含有する。ホワイトリストまたは許容リストは、特定のＵＥがアクセス権を有する、限定加入者グループ（ＣＳＧ）内のセルの識別のリストである。一実施形態では、ＳＣＩは、測定構成におけるセルと関連付けられる。本標的セル上の測定のために、具体的ＳＣＩが、有利には、使用される。一実施形態では、測定構成における異なるセル、例えば、ＬＴＥにおけるホワイトリスト内の異なるセルは、別個のＳＣＩを有してもよい。
【００６９】
いくつかのＬＴＥ実施形態では、ＳＣＩおよび測定ホワイトリストが、ＵＥ測定構成に含まれる。一実施形態では、ＵＥは、測定ホワイトリスト内のセルに対応するＣＲＳに測定を行いながら、同期セルのＰＳＳ／ＳＳＳ（ＳＣＩからの）を使用して、同期を得る。いくつかの実施形態では、測定ホワイトリストは、ＰＣＩを含有する。いくつかの実施形態では、測定ホワイトリストは、リソース（一実施形態では、ＬＴＥリソース要素）の仕様およびＣＲＳシーケンスの仕様を含有する。いくつかの実施形態では、リソースおよびＣＲＳシーケンスの組み合わせは、任意のＰＣＩの組み合わせに一致しない。別の実施形態では、組み合わせは、ＰＣＩの組み合わせに一致する。
【００７０】
いくつかのＬＴＥ実施形態では、標的セルおよび／または同期セルは、異なる、地理的に位置するが、同じ場所にない、伝送地点（例えば、アンテナ、遠隔無線ユニット（ＲＲＵ）等）を含み、同一セル−ｉｄに対応する信号を伝送し、すなわち、単一セル（その内容が、その全体として記載される場合と同様に、参照することによって本明細書に組み込まれる、３ＧＰＰ  ＴＲ  ３６．８１９「Ｃｏｏｄｉｎａｔｅｄ  Ｍｕｌｔｉ−Ｐｏｉｎｔ  Ｏｐｅｒａｔｉｏｎ  ｆｏｒ  ＬＴＥ  Ｐｈｙｓｉｃａｌ  Ｌａｙｅｒ  Ａｓｐｅｃｔ」（ｖ．１１．２．０、２０１３年９月）に説明されるように、時として、ソフトセル、共有セル、ＣｏＭＰシナリオとも呼ばれる）を生成する。種々の実施形態では、伝送地点は、相互に近接して位置する。いくつかの実施形態では、伝送地点は、ＰＳＳ／ＳＳＳが、直接、セル−ｉｄに対応するため、同一ＰＳＳ／ＳＳＳを伝送する。一実施形態では、伝送地点は、ＵＥが異なる伝送地点を検出および測定し得るように、発見信号を伝送する。いくつかの実施形態では、発見信号は、ＣＲＳを含有する。いくつかの実施形態では、異なる伝送地点の発見信号は、伝送地点が生成するセルのセル−ｉｄに対応しない、異なるＣＲＳを含有する。一実施形態では、ＳＣＩおよび測定ホワイトリストは、ＵＥ測定構成に含まれ、ＳＣＩは、複数の伝送地点によって使用されるＰＳＳ／ＳＳＳに対応するセル−ｉｄを規定し、測定構成は、異なる伝送地点によって使用される異なるＣＲＳを規定する。一実施形態では、ＣＲＳは、あたかもその内容がその全体として記載されているかのように、参照することによって本明細書に組み込まれる、Ｌｅｅ  ｅｔ  ａｌ「Ｃｏｏｒｄｉｎａｔｅｄ  Ｍｕｌｔｉｐｏｉｎｔ  Ｔｒａｎｓｍｉｓｓｉｏｎ  ａｎｄ  Ｒｅｃｅｐｔｉｏｎ  ｉｎ  ＬＴＥ−Ａｄｖａｎｃｅｄ  Ｓｙｓｔｅｍｓ」（ＩＥＥＥ  Ｃｏｍｍｕｎｉｃａｔｉｏｎｓ  Ｍａｇａｚｉｎｅ、２０１２年１１月）におけるように、ＬＴＥ  Ｒｅｌ−１１におけるＤＭＲＳおよびＣＳＩ−ＲＳのために利用可能なものと同様に、「仮想セル−ｉｄ」を使用して規定される。
【００７１】
いくつかの実施形態では、セル指向ＵＥアクションの後、ＵＥによる報告が続く。いくつかの実施形態では、セルにおける測定後、測定報告が続く。一実施形態では、ＵＥからの報告は、セル指向ＵＥアクションにおいて使用された同期セルおよび／または標的セルのセル−ｉｄを含む。一実施形態では、ＳＣＩが、複数のセル−ｉｄを含む場合、ＵＥは、報告において、セル指向ＵＥアクションにおいて使用されたセル−ｉｄを示す。別の実施形態では、ＳＣＩが、セル−ｉｄではなく、検索窓を含む場合、ＵＥは、報告において、セル指向ＵＥアクションにおいて使用されたセル−ｉｄを示す。一実施形態では、ＵＥからの報告は、ＵＥアクションが指向されたセルのｉｄ、例えば、測定ホワイトリストからのセル−ｉｄを含む。
【００７２】
いくつかの実施形態では、ＵＥへのハンドオーバコマンドは、標的セルへのハンドオーバの間に使用されるべきＳＣＩを含有する。これは、ハンドオーバプロシージャの一部であり得る、ランダムアクセスプロシージャの場合であり得る。
【００７３】
いくつかの実施形態では、スケジューリング許可（ダウンリンクまたはアップリンク）は、データ受信または伝送プロセスの間に使用されるべきＳＣＩを含有する。いくつかの実施形態では、ＵＥは、ＳＣＩを使用して、複雑性および／または持続時間を低減させる、もしくはセル検出（単一セル）および／またはセル検索（複数のセル）の性能を改善する。いくつかの実施形態では、ＵＥは、本目的のために、測定構成内のＳＣＩを使用する。
【００７４】
いくつかの実施形態では、ＵＥは、ＳＣＩを使用して、複雑性および／または持続時間を低減させる、もしくはセル発見の性能を改善する。一実施形態では、ＵＥは、セル同期アクションを行なわずに、セル発見を行い得るように、ＳＣＩを使用する。いくつかの実施形態では、ＵＥは、典型的には、セルに同期するために必要とされる、セル同期アクションのサブセットのみを行い得るように、ＳＣＩを使用する。ＵＥは、本目的のために、測定構成内のＳＣＩを使用してもよい。
【００７５】
いくつかの実施形態では、ＵＥは、ＳＣＩを使用して、複雑性および／または持続時間を低減させる、もしくは同期パラメータの推定の正確度を改善する。ＵＥは、本目的のために、測定構成内のＳＣＩを使用してもよい。
【００７６】
本開示の一側面によると、ワイヤレス通信システムにおける方法が、提供される。本方法は、モバイルネットワーク内のユーザ機器（ＵＥ）がアクションを行うときに同期され得る少なくとも１つの同期セルを識別するステップと、同期セルインジケータ（ＳＣＩ）をＵＥに送信するステップであって、ＳＣＩは、少なくとも１つの同期セルを識別するか、あるいは、ＵＥが少なくとも１つの同期セルを識別することを可能にする、ステップと、ＵＥが少なくとも１つの同期セルの第１の同期セルと少なくとも部分的に同期するステップと、ＵＥが標的セルに指向されるセル指向ＵＥアクションを実施するステップとを含む。いくつかの実施形態では、ＵＥはさらに、標的セルとデータを伝送および受信する。
【００７７】
本開示の一側面によると、ワイヤレス通信システムにおける方法が、提供される。本方法は、モバイルネットワーク内のユーザ機器（ＵＥ）がアクションを行うときに同期され得る少なくとも１つの同期セルを識別するステップと、同期セルインジケータ（ＳＣＩ）をＵＥに送信するステップであって、ＳＣＩは、少なくとも１つの同期セルを識別する、ステップと、ＵＥが少なくとも１つの同期セルの第１の同期セルと同期するステップと、ＵＥが、同期セルから得られた同期を使用して、標的セルに指向されるセル指向ＵＥアクションを実施するステップとを含む。いくつかの実施形態では、ＵＥはさらに、標的セルとデータを伝送および受信する。
【００７８】
本開示の別の側面によると、ワイヤレス通信システムにおける方法が、提供される。本方法は、モバイルネットワーク内のユーザ機器（ＵＥ）がアクションを行うときに同期され得る少なくとも１つの同期セルを識別するステップと、同期セルインジケータ（ＳＣＩ）をＵＥに送信するステップであって、ＳＣＩは、少なくとも１つの同期セルを識別するステップと、ＵＥが部分的に少なくとも１つの同期セルの第１の同期セルと同期するステップと、ＵＥが、標的セルに指向されるセル指向ＵＥアクションを実施し、それによって、完全に同期されるステップとを含む。いくつかの実施形態では、ＵＥはさらに、標的セルとデータを伝送および受信する。
【００７９】
本開示の別の側面によると、無線通信システムにおける方法が提供される。方法は、モバイルネットワーク内のユーザ機器（ＵＥ）が、アクションを実行するときに同期され得る少なくとも１つの同期セルを識別するステップと、同期セルインジケータ（ＳＣＩ）をＵＥに送信するステップと、ＳＣＩが少なくとも１つの同期セルを識別するステップと、ＵＥが少なくとも部分的に少なくとも1つの同期セルの第１の同期セルと同期するステッ
プと、ＵＥが少なくとも標的セルからの信号に対する測定を実行するステップとを含む。
【００８０】
本開示の別の側面によると、セルラー通信システムが、提供される。セルラー通信システムは、モバイルネットワーク内のユーザ機器（ＵＥ）が少なくとも部分的に同期され得る、少なくとも１つの同期セルを識別し、送信機に、同期セルインジケータ（ＳＣＩ）をＵＥに送信させるように構成される、プロセッサを備え、ＳＣＩは、少なくとも１つの同期セルを識別する。ＵＥは、ＳＣＩを受信し、少なくとも部分的に、少なくとも１つの同期セルの第１の同期セルと同期し、標的セルとセル指向ＵＥアクションを実施するように構成される。いくつかの実施形態では、ＵＥは、標的セルと同期された後、標的セルとのデータの伝送および受信のうちの少なくとも１つを行うように構成される。
【００８１】
いくつかの実施形態では、ＵＥが標的セルとセル指向ＵＥアクションを実施するステップは、ＵＥが、ホワイトリスト内のセルに対応するセル特有参照信号（ＣＲＳ）に測定を行うように構成されるステップを含む。
【００８２】
用語「例示的」は、「実施例または例証としての役割を果たす」ことを意味するために本明細書で使用される。「例示的」として、本明細書に説明される任意の側面または設計は、必ずしも、他の側面または設計より好ましいまたは有利であると解釈されるものではない。
【００８３】
前述は、単に、本開示の原理を図示する。したがって、当業者は、本明細書に明示的に説明または図示されないが、本開示の原理を具現化し、その精神および範囲内に含まれる、種々の配列を考案可能であろうことを理解されたい。さらに、本明細書に列挙される全ての実施例および条件付き言語は、主に、教育上の目的のためのものにすぎず、読者が、発明者らによって寄与される本開示の原理および概念を理解し、当該技術分野を促進するのを支援することを明示的に意図し、そのような具体的に列挙される実施例および条件に限定されるものと解釈されるものではない。
【００８４】
本発明の１つまたはそれを上回る実施形態が前述されたが、一例として提示されるにすぎず、限定ではないことを理解されたい。同様に、種々の図または略図は、本開示のための例示的構造または他の構成を描写し得、これは、本開示に含まれ得る特徴および機能性を理解することを支援するために行われるものである。本開示は、図示される例示的アーキテクチャまたは構成に制限されず、種々の代替構造および構成を使用して実装されることができる。
【００８５】
本書に説明される機能のうちの１つまたはそれを上回るものは、適切に構成されるモジュールによって行なわれてもよい。用語「モジュール」は、本明細書で使用されるように、ハードウェア、ファームウェア、ソフトウェアおよびソフトウェアを実行する任意の関連付けられたハードウェア、および本明細書に説明される関連付けられた機能を行うためのこれらの要素の任意の組み合わせを指し得る。加えて、種々のモジュールは、離散モジュールであることができる。しかしながら、当業者に明白となるであろうように、２つまたはそれを上回るモジュールが、本発明の種々の実施形態による関連付けられた機能を果たす、単一モジュールを形成するために組み合わせられてもよい。
【００８６】
加えて、本書に説明される機能のうちの１つまたはそれを上回るものは、概して、メモリ記憶デバイスまたは記憶ユニット等の媒体を指すために本明細書で使用される、「コンピュータプログラム製品」、「非一過性コンピュータ可読媒体」、および同等物内に記憶される、コンピュータプログラムコードを用いて行われてもよい。これらおよび他の形態のコンピュータ可読媒体は、プロセッサによって使用され、プロセッサに規定された動作を行なわせるための１つまたはそれを上回る命令の記憶に関与し得る。そのような命令は、概して、実行されると、コンピューティングシステムが所望の動作を行うことを可能にする、「コンピュータプログラムコード」（コンピュータプログラムまたは他の群化の形態で群化されてもよい）と称される。
【００８７】
明確にする目的のために、前述の説明が、異なる機能ユニットおよびプロセッサを参照して本発明の実施形態を説明していることを理解されるであろう。しかしながら、異なる機能ユニット、プロセッサ、またはドメイン間の機能性の任意の好適な分散が、本発明から逸脱することなく、使用されてもよいことが明白であろう。例えば、別個のユニット、プロセッサ、またはコントローラによって行われるように例証される機能性は、同一ユニット、プロセッサ、またはコントローラによって行われてもよい。故に、具体的機能ユニットの参照は、厳密な論理または物理構造もしくは編成を示すのではなく、説明される機能性を提供するための好適な手段の参照にすぎないと見なされる。
【図１】
2019161673.tif 000003